【手続補正書】
【提出日】平成17年5月10日(2005.5.10)
【手続補正１】
【補正対象書類名】特許請求の範囲
【補正対象項目名】全文
【補正方法】変更
【補正の内容】
【特許請求の範囲】
【請求項１】
基端部と末端部を有するカテーテルと、
前記カテーテルの基端部に操作可能に接続されたケーブルトリガと、
前記カテーテルの末端部から延びる一対のあご部と、
前記一対のあご部を通るとともに前記ケーブルトリガに接続されたシュリンゲケーブルと、
前記一対のあご部の間であって少なくとも一方のあご部に配置された加熱部材と、
を備えたポリープを除去するための装置。
【請求項２】
基端部と末端部を有するカテーテルと、
前記カテーテルの基端部に操作可能に接続されたケーブルトリガと、
前記カテーテルの末端部から延びる第１あご部と、
前記カテーテルの末端部から延びるとともに前記第１あご部に対して回転可能な第２あご部と、
前記第２あご部に接続され、前記第２あご部から前記第１あご部を通って前記ケーブルトリガまで延びているシュリンゲケーブルと、
前記第１あご部と前記第２あご部との間であって少なくとも一方のあご部に配置された加熱部材と、
を備えたポリープ切除装置。
【請求項３】
基端部と末端部を有するカテーテルと、
前記カテーテルの基端部に操作可能に接続された、ケーブルトリガを有するハンドルと、
前記カテーテルの基端部に接続された電気コネクタと、
前記カテーテルの末端部から延びる第１あご部と、
前記カテーテルの末端部から延びて前記第１あご部に対して回転可能な第２あご部と、
前記第１あご部から前記第２あご部を通って前記ケーブルトリガに接続されたシュリンゲケーブルと、
前記電気コネクタに接続されて前記第１あご部上に配置され、前記第１あご部と前記第２あご部との間に配置されている加熱部材と、
を備えたポリープを除去するための装置。
【請求項４】
基端部と末端部を有するカテーテルと、
前記カテーテルの基端部に操作可能に接続された、ケーブルトリガを有するハンドルと、
前記カテーテルの基端部に接続された電気コネクタと、
前記カテーテルの末端部から延びる第１あご部と、
前記カテーテルの末端部から延びて前記第１あご部に対して回転可能な第２あご部と、
前記第１あご部から前記第２あご部を通って前記ケーブルトリガに接続されたシュリンゲケーブルと、
前記電気コネクタに接続されて前記第１あご部上に配置され、前記第１あご部と前記第２あご部との間に配置されている加熱部材と、
を備えたポリープを除去するための装置。
【請求項５】
ルーメン、基端部および末端部を有するカテーテルと、
前記カテーテルの基端部に操作可能に接続された、ケーブルトリガを有するハンドルと、
前記カテーテルの基端部に接続された電気コネクタと、
前記カテーテルの末端部から延び、前記カテーテルに取り付けられ、前記カテーテルの前記ルーメンが中心部を貫通して延びている第１あご部と、
前記カテーテルの末端部から延び、前記第１あご部に対して回転可能であって、先端部に穴を有する第２あご部と、
前記第１あご部の前記ルーメンから延びて前記第２あご部の穴を通っており、末端部と基端部を有し、前記末端部が前記カテーテルに固定されるとともに前記基端部が前記ケーブルトリガに接続されたシュリンゲケーブルと、
前記電気コネクタに接続されて前記第１あご部上に配置され、前記第１あご部と前記第２あご部との間に配置されている加熱部材と、
を備えたポリープ切除装置。
【請求項６】
基端部と末端部を有するカテーテルと、
第１把持面を有し、前記カテーテルの末端部から末端側へ延び、貫通する穴を有する第１あご部と、
第２把持面を有し、前記カテーテルの末端部から末端側へ延び、前記第１把持面と前記第２把持面とを互いに近接した状態にするために前記第１あご部に対して開いた位置と閉じた位置との間で前記第１あご部に対して回転可能な第２あご部と、
基端部と末端部を有し、前記カテーテルの基端部から前記カテーテルの末端部へと延びたシュリンゲケーブルであって、前記シュリンゲケーブルの前記基端部を基端側に引くことによって前記あご部が閉じた位置に向かって動くように前記シュリンゲケーブルの前記末端部が前記第１あご部および前記第２あご部に係合しているシュリンゲケーブルと、
前記第１把持面と前記第２把持面との間に位置する加熱部材と、
前記加熱部材に加熱電力を選択的に供給する電源と、
を備えたポリープ切除装置。
【請求項７】
患者の身体からポリープを除去する方法であって、
基端部と末端部を有するカテーテルと、第１把持面を有し、前記カテーテルの末端部から末端側へ延び、貫通する穴を有する第１あご部と、第２把持面を有し、前記カテーテルの末端部から末端側へ延び、前記第１把持面と前記第２把持面とを互いに近接した状態にするために前記第１あご部に対して開いた位置と閉じた位置との間で前記第１あご部に対して回転可能な第２あご部と、基端部と末端部を有し、前記カテーテルの基端部から前記カテーテルの末端部へと延びたシュリンゲケーブルであって、前記シュリンゲケーブルの前記基端部を基端側に引くことによって前記あご部が閉じた位置に向かって動くように前記シュリンゲケーブルの前記末端部が前記第１あご部および前記第２あご部に係合しているシュリンゲケーブルと、前記第１把持面と前記第２把持面との間に位置する加熱部材と、前記加熱部材に加熱電力を選択的に供給する電源とを備えたポリープ切除装置を準備し、
ポリープに近接して前記カテーテルの末端部を配置し、
前記あご部を開くとともに前記カテーテルの末端部から延びる前記シュリンゲケーブルの輪を形成するために、前記シュリンゲケーブルを前記カテーテルの末端側に押し、
ポリープを取り囲むように前記輪を操作し、
前記第１あご部および前記第２あご部の各把持面の間の適所にポリープを引き込むとともにポリープ上で前記第１あご部および前記第２あご部を閉じるために、前記シュリンゲケーブルを前記カテーテルの基端側に引っ張り、
ポリープを周囲組織から切断するために前記加熱部材に加熱電力を供給する、
ことを特徴とする方法。
【請求項８】
前記一対のあご部は把持面によって特徴づけられ、前記加熱部材は、前記あご部の少なくとも一方の把持面に配置されるとともに、前記装置の長手方向軸と平行に配置されていることを特徴とする請求項１に記載の装置。
【請求項９】
患者の身体からポリープを除去するためのシステムであって、
前記システムは、
患者について内視鏡による処置を行うのに適した内視鏡と、
基端部と末端部を有するカテーテル、前記カテーテルの基端部に操作可能に接続されたケーブルトリガ、前記カテーテルの末端部から延び出る一対のあご部、前記一対のあご部を通って前記ケーブルトリガに操作可能に接続されたシュリンゲケーブル、および、前記一対のあご部の間に位置して前記あご部の少なくとも一方に配置された加熱部材を含むポリープ除去装置と、
前記加熱部材に接続された電源と、を備え、
前記ポリープ除去装置は、前記内視鏡内に挿入可能な大きさおよび寸法であることを特徴とするシステム。
【請求項１０】
前記加熱部材は、ニクロム線加熱部材、セラミック加熱部材、ＲＦ加熱部材、単極電極加熱部材、および、二極電極加熱部材からなるグループから選択されることを特徴とする請求項９に記載のシステム。
【請求項１１】
前記一対のあご部は第１あご部と第２あご部を有し、前記第２あご部は前記第１あご部に対して回転可能であり、前記シュリンゲケーブルは前記第２あご部に操作可能に接続されるとともに前記第２あご部から前記第１あご部を通って前記ケーブルトリガに延びていることを特徴とする請求項９に記載のシステム。
【請求項１２】
前記第２あご部の前記把持面に配置されたシリコーンパッドをさらに含むことを特徴とする請求項９に記載のシステム。